(57)【要約】【課題】  ターンテーブルを駆動するモータのケーシング内部に異物質が流入する現象を防止することで、モータの故障を防止できる電子レンジを提供すること。【解決手段】  調理室１１内部のターンテーブル５０を駆動するためのモータ４３を備えた電子レンジであって、前記モータ４３は、一面が開放されたケーシング６１と、前記ケーシング６１内に設置される固定子６４及び回転子６５と、前記ケーシング６１の開放部に結合されるカバー６３と、前記カバー６３と前記ケーシング６１との結合部の隙間を覆う保護カバー８０と、を含んで電子レンジを構成する。【選択図】  図３
2005300134.tif 000002
【特許請求の範囲】
【請求項１】
調理室内部のターンテーブルを駆動するためのモータを備えた電子レンジであって、
前記モータは、
一面が開放されたケーシングと、
前記ケーシング内に設置される固定子及び回転子と、
前記ケーシングの開放部に結合されるカバーと、
前記カバーと前記ケーシングとの結合部の隙間を覆う保護カバーと、を含むことを特徴とする電子レンジ。
【請求項２】
前記保護カバーは、
前記カバーの外面を覆う第１カバー部と、
前記第１カバー部の縁部から前記ケーシングの外面を覆うように屈曲延在する第２カバー部と、を含むことを特徴とする、請求項１記載の電子レンジ。
【請求項３】
前記モータは、回転力を外部に伝達するために、前記カバーおよび前記保護カバーを貫通して外部に延在する回転軸をさらに含むことを特徴とする、請求項２記載の電子レンジ。
【請求項４】
前記モータは、回転力を外部に伝達するために、前記カバーおよび前記保護カバーを貫通して外部に延在する回転軸をさらに含むことを特徴とする、請求項１記載の電子レンジ。
【請求項５】
前記モータは、前記調理室の外側下部に装着され、前記カバー側が前記調理室の底板と隣接するように装着されることを特徴とする、請求項１記載の電子レンジ。
【請求項６】
前記電子レンジは、台所空間の排気のために、建物の壁に装着される排気装置をさらに含むことを特徴とする、請求項１記載の電子レンジ。
【発明の詳細な説明】
【技術分野】
【０００１】
本発明は、電子レンジに関するもので、詳しくは、ターンテーブルを駆動するモータの構造を改善した電子レンジに関するものである。
【背景技術】
【０００２】
一般に、電子レンジは、調理室の内側に回転自在に設置されるターンテーブルと、このターンテーブルを回転するために調理室の外側下部に装着されるモータと、を備える。また、電子レンジのターンテーブルを駆動するモータは、通常、一面が開放されたケーシングと、このケーシングの開放部を覆うカバーと、ケーシング内部に設置された固定子および回転子と、を含む。
【０００３】
しかしながら、このような電子レンジのモータは、冷却風などが循環する調理室下部の離隔空間内に露出された状態で設置されるため、調理室下部を循環する空気中の異物質がケーシングとカバーとの結合部の隙間を通してモータの内部に流入するという問題点があった。また、このような現象が長期間持続する場合、モータに故障が発生するという問題点があった。
【０００４】
特に、建物の壁に設置される壁掛け型電子レンジは、台所空間で発生したガスや煙などを外部に排出するための排気流路が本体の下部に設けられ、ターンテーブルを駆動するモータが排気流路を通過するガスや煙に露出される構造であるため、前記のような原因により、モータの故障が頻繁に発生するという問題点があった。
【発明の開示】
【発明が解決しようとする課題】
【０００５】
本発明は、このような問題点を解決するためになされたもので、ターンテーブルを駆動するモータのケーシング内部に異物質が流入する現象を防止することで、モータの故障を防止できる電子レンジを提供することを目的とする。
【課題を解決するための手段】
【０００６】
このような目的を達成するために、本発明による電子レンジは、調理室内部のターンテーブルを駆動するためのモータを備えており、前記モータは、一面が開放されたケーシングと、このケーシング内に設置される固定子及び回転子と、前記ケーシングの開放部に結合されるカバーと、前記カバーと前記ケーシングとの結合部の隙間を覆う保護カバーと、を含むことを特徴とする。
【０００７】
また、前記保護カバーは、前記カバーの外面を覆う第１カバー部と、この第１カバー部の縁部から前記ケーシングの外面を覆うように屈曲延在する第２カバー部と、を含むことを特徴とする。
【０００８】
また、前記モータは、回転力を外部に伝達するために、前記カバーおよび前記保護カバーを貫通して外部に延在する回転軸をさらに含むことを特徴とする。
【０００９】
また、前記モータは、前記調理室の外側下部に装着され、前記カバー側が前記調理室の底板と隣接するように装着されることを特徴とする。
【００１０】
また、本発明による電子レンジは、台所空間の排気のために、建物の壁に装着される排気装置をさらに含むことを特徴とする。
【発明の効果】
【００１１】
本発明による電子レンジは、ターンテーブル駆動用モータのケーシングとカバーとの結合部の隙間が保護カバーにより覆われるため、ケーシング内部に異物質が流入する現象を防止することで、モータの故障を防止できるという効果がある。
【発明を実施するための最良の形態】
【００１２】
以下、本発明の実施形態を図面に基づいて説明する。
【００１３】
本発明による電子レンジは、図１および図２に示すように、食物を調理するための調理室１１と、各種の電気部品が設置される電装室１２と、が形成された本体１０を備えている。この本体１０の後面は、図示してないが、ガスオーブンレンジが設置された台所空間の壁面に固定設置される。
【００１４】
本体１０内部の調理室１１および電装室１２は、区画板１３により相互に区画され、調理室１１の前面は、回動自在に装着されたドア１４により開閉される。電装室１２には、調理室１１の内部に高周波を供給するためのマグネトロン１５と、このマグネトロン１５に高電圧を印加するための高圧トランス１６と、電装室１２内部を冷却するための冷却ファン１７と、がそれぞれ設置される。電装室１２および調理室１１の上部には、マグネトロン１５から供給される高周波を調理室１１の内部に案内する導波管１８が設置され、電装室１２の前面には、電子レンジの各種機能を制御するための複数の操作ボタン１９ａと、動作状態を表示する表示部１９ｂと、を備えた操作パネル１９が設置される。調理室１１の内側下部には、その上面に調理物を載置するために、ローラ５１により回転自在に支持されるターンテーブル５０が設置され、調理室１１の外側下部には、ターンテーブル５０を駆動するためのモータ６０が装着される。
【００１５】
また、本発明による電子レンジは、電装室１２の冷却及び調理室１１の換気のための換気流路と、本体１０下部のガスオーブンレンジ側(または台所空間)から発生するガスや煙を外部に排気するための排気流路と、この排気流路を通して案内されるガスや煙を外部に送風する排気装置４０と、を備えている。
【００１６】
換気流路は、本体１０前面の操作パネル１９上側に形成されて電装室１２の内部と連通する前面吸入口２０と、調理室１１と電装室１２とを区画する区画板１３に形成された複数の通孔２１と、調理室１１の上面に形成された複数の通孔２２と、調理室１１側の前面上部に形成された前面排出口２３と、を含む。このような換気流路は、電装室１２内部の冷却ファン１７が動作するとき、前面吸入口２０を通して電装室１２内部に流入する空気により電装室１２内部の各部品を冷却した後、その空気を区画板１３の通孔２１を通して調理室１１内部に流入することで調理室１１を換気する。その後、調理室１１内部の空気を上部の通孔２２および前面排出口２３を通して外部に排出する。
【００１７】
排気流路は、本体１０の底板２５に形成された排気用吸入口３１ａ、３１ｂと、調理室１１及び電装室１２の底板２６と本体１０の底板２５との間の離隔空間に沿って形成される下部流路３２と、電装室１２の後方に上下方向に形成される第１上昇流路３３と、調理室１１の側方に上下方向に形成される第２上昇流路３４と、本体１０の上側後方に形成されて第１上昇流路３３及び第２上昇流路３４とそれぞれ連通する第１及び第２上部流路３５、３６と、を含む。このような構成により、排気用吸入口３１ａ、３１ｂを通して本体１０の下部から吸入されるガスや煙は、下部流路３２、第１及び第２上昇流路３３、３４、第１及び第２上部流路３５、３６を通して本体１０上部の排気装置４０側に案内される。
【００１８】
排気装置４０は、第１上部流路３５の空気を吸入して外部に排気する第１排気ファン４１と、第２上部流路３６の空気を吸入して外部に排気する第２排気ファン４２と、第１及び第２排気ファン４１、４２を同時に駆動するモータ４３と、を含む。また、図２に示すように、排気装置４０が設置された側の本体１０上部には、排気装置４０を通して送風される空気を外部に排出するための排気口４５が形成される。
【００１９】
調理室１１内部のターンテーブル５０を駆動するモータ６０は、図３および図４に示すように、一面が開放されて残りの面が閉鎖された円筒状のケーシング６１と、このケーシング６１の開放部６２を覆うようにケーシング６１の開放部６２に結合されるカバー６３と、ケーシング６１の内部に設置される固定子６４と、この固定子６４の内側に回転自在に設置された回転子６５と、を含む。また、モータ６０は、ケーシング６１の内部に設置される減速ギヤ６６と、この減速ギヤ６６の回転を外部に伝達するためにカバー６３を貫通して外部に延在する回転軸６７と、を含む。また、ケーシング６１は、モータ６０を調理室１１の底板２６に固定するために、固定ねじ７０が締め付けられる両側のねじ結合部６９を備える。また、図４に示すように、ケーシング６１の開放部６２にカバー６３を装着した状態で、ケーシング６１の開放部６２の周囲に設けられた複数の屈曲部６８がカバー６３の縁部を支持するようにカバー６３側に屈曲されることで、モータ６０のケーシング６１とカバー６３とが結合される。
【００２０】
また、本発明による電子レンジのモータ６０は、ケーシング６１とカバー６３との結合部の隙間ｇを通してモータ６０内部に異物質が流入する現象を防止することで、モータ６０の故障発生を防止するものであって、カバー６３の外側を覆うとともに、モータ６０が調理室１１の底板２６に固定されるときに調理室１１の底板２６とカバー６３との間に介在する保護カバー８０を含む。この保護カバー８０は、図３および図４に示すように、カバー３６上側の外面全体を覆うとともに、回転軸６７を貫通する貫通孔８３が形成された第１カバー部８１と、この第１カバー部８１の縁部からケーシング６１の外面一部を覆うように所定長さに屈曲延在する第２カバー部８２と、を含む。このような構成により、第１カバー部８１および第２カバー部８２によりケーシング６１とカバー６３との間の隙間ｇが完全に覆われることで、モータ６０の内部に異物質が流入する現象を防止することができる。すなわち、本発明による電子レンジは、図２に示すように、モータ６０を調理室の底板２６下部に装着することで、下部流路３２を通過するガスや煙に露出されるようになるが、モータのケーシング６１とカバー６３との間の隙間ｇが保護カバー８０により完全に覆われることで、ガスや煙が隙間ｇを通してモータ６０の内部に流入する現象を防止することができる。
【００２１】
このようなモータ６０を調理室１１の底板２６下部に装着するときは、モータ６０の上部に保護カバー８０を装着してケーシング６１とカバー６３との間の隙間ｇを覆った状態で、モータ６０を調理室１１の下部に結合する。このとき、保護カバー８０を貫通して上部に延在する回転軸６７は、調理室１１の底板２６を貫通して調理室１１の内側に進入され、ターンテーブル５０との連結を媒介する連結部材５３と結合される。このような状態で、ケーシング６１の上部両側に設けられたねじ結合部６９に固定ねじ７０を締め付けることで、モータ６０が調理室の底板２６に固定される。このようにすると、モータのケーシング６１とカバー６３との間の隙間ｇが保護カバー８０により完全に覆われた状態でモータ６０が装着されるので、本体１０下側の下部流路３２を通してガスや煙が流れる場合も、これらがモータ６０の内部に流入する現象を確実に防止することができる。
【図面の簡単な説明】
【００２２】
【図１】本発明による電子レンジの構成を示す斜視図である。
【図２】本発明による電子レンジの内部構成を示す断面図である。
【図３】本発明による電子レンジのモータの構成及び装着構造を示す断面図である。
【図４】本発明による電子レンジのモータおよび保護カバーの構成を示す斜視図である。
【符号の説明】
【００２３】
１０  本体
１１  調理室
１２  電装室
１３  区画板
１４  ドア
１５  マグネトロン
１６  高圧トランス
１７  冷却ファン
１８  導波管
１９  操作パネル
２０  前面吸入口
２１、２２  通孔
２３  前面排出口
２５、２６  底板
３２  下部吸入口
３３、３４  第１および第２上昇流路
３５、３６  第１および第２上部流路
【図１】
2005300134.tif 000003
【図２】
2005300134.tif 000004
【図３】
2005300134.tif 000005
【図４】
2005300134.tif 000006